(57)【要約】【課題】デファレンシャルギヤ機構の潤滑性を悪化させることなく、デフギヤオイルの貯留量を削減できるアクスルケース構造を提供する。【解決手段】デファレンシャルギヤ機構２を収容すべく上下方向に膨出されたバンジョー部３の内部に、車幅方向に間隔を隔ててデファレンシャルギヤ機構２を内包するように一対のセパレータ板４を設け、これらセパレータ板４の間に貯留されたデフギヤオイル５の液面をデファレンシャルギヤ機構２の下端よりも上方とするようにしたアクスルケース構造１であって、セパレータ板４に、デフギヤオイル５の液面を下げることなくオイル量を削減するため、デフギヤオイル５の液面より下方のデフギヤオイル５を押し退ける体積を有するオイル押退部材６を設けた。【選択図】図２
2019183922.tif 000002
【特許請求の範囲】
【請求項１】
デファレンシャルギヤ機構を収容すべく上下方向に膨出されたバンジョー部の内部に、車幅方向に間隔を隔てて前記デファレンシャルギヤ機構を内包するように一対のセパレータ板を設け、これらセパレータ板の間に貯留されたデフギヤオイルの液面を前記デファレンシャルギヤ機構の下端よりも上方とするようにしたアクスルケース構造であって、
前記セパレータ板に、前記デフギヤオイルの液面を下げることなくオイル量を削減するため、前記デフギヤオイルの液面より下方のデフギヤオイルを押し退ける体積を有するオイル押退部材を設けた、ことを特徴とするアクスルケース構造。
【請求項２】
前記一対のセパレータ板が、前記デフギヤオイルを排出するため前記バンジョー部の下部に形成されたドレン孔を内包するように、前記バンジョー部の内部に車幅方向に間隔を隔てて配設された、ことを特徴とする請求項１に記載のアクスルケース構造。
【請求項３】
前記オイル押退部材が、前記セパレータ板の車幅方向内方の面に、前記デフギヤオイルを前記バンジョー部に注入するためのオイル注入孔より下方に位置して設けられた、ことを特徴とする請求項１または２に記載のアクスルケース構造。
【請求項４】
前記オイル押退部材が、前記セパレータ板の車幅方向内方の面に、前記セパレータ板の縁部と前記バンジョー部の内面との間に形成された隙間を塞がないように取り付けられた、ことを特徴とする請求項１から３の何れか１項に記載のアクスルケース構造。
【請求項５】
前記オイル押退部材が、中空構造または中実構造である、ことを特徴とする請求項１から４の何れか１項に記載のアクスルケース構造。
【発明の詳細な説明】
【技術分野】
【０００１】
本発明は、内部にデファレンシャル機構が収容され、デフギヤオイルが貯留されるアクスルケース構造に係り、特に、デファレンシャル機構の潤滑性を悪化させることなくデフギヤオイルの貯留量を削減できるアクスルケース構造に関する。
【背景技術】
【０００２】
トラックやバス、ＳＵＶ、ＲＶ等の車両のアクスルケース構造として、図１（ａ）、図１（ｂ）に示すように、デファレンシャルギヤ機構ａを収容するために上下方向に膨出されたバンジョー部ｂの内部に、車幅方向に間隔を隔ててデファレンシャルギヤ機構ａを内包するように一対のセパレータ板ｃを設け、これらセパレータ板ｃの間に貯留されたデフギヤオイルｄにデファレンシャルギヤ機構ａの下部を浸漬するようにしたアクスルケース構造ｅが開発されている。
【０００３】
かかるアクスルケース構造ｅによれば、カーブ走行時、遠心力を受けるデフギヤオイルｄがバンジョー部ｂから車幅方向外方へ移動しようとする事態をセパレータ板ｃによって抑えることができる。これにより、カーブ走行時に、バンジョー部ｂにおけるデフギヤオイルｄの液位を確保でき、デファレンシャルギヤ機構ａをデフギヤオイルｄによって適切に潤滑することができる。
【先行技術文献】
【特許文献】
【０００４】
【特許文献１】特開２００７−３１５４５６号公報
【発明の概要】
【発明が解決しようとする課題】
【０００５】
ところで、デフギヤオイルｄは、単価が高いため、貯留量をなるべく削減することが望まれている。デフギヤオイルｄの貯留量を少なくするためには、図１（ａ）に示す左右のセパレータ板ｃ同士の間隔を狭くする対策が考えられる。しかし、左右のセパレータ板ｃは、デフギヤオイルｄを排出するためバンジョー部ｂに設けられたドレン孔ｆを内包するように配設する必要がある。このため、左右のセパレータ板ｃの間隔が或る程度広くならざるを得ず、デフギヤオイルｄの貯留量を削減することが困難であった。
【０００６】
詳述すると、図１（ａ）に示すように、ドレン孔ｆは、車両の最低地上高を確保すると共に不整路走行時の岩や障害物との接触などによる損傷を回避するため、バンジョー部ｂの下部の中央部ではなく、バンジョー部ｂの下部の傾斜立上部ｇに設けられている。すなわち、ドレン孔ｆには、オイル交換時に取り外されるドレンボルトｈがネジ込まれるところ、そのドレンボルトｈの頭部がアクスルケース（バンジョー部ｅ）の最下点とならないように、ドレン孔ｆの位置がバンジョー部ｂの下部の傾斜立上部ｇに設定されている。従って、かかるドレン孔ｆを内包するように配置される左右のセパレータ板ｃの間隔が或る程度広くならざるを得ず、デフギヤオイルｄの貯留量を削減することが困難となっていた。
【０００７】
なお、デファレンシャルケース内のオイルの流れをコントロールする発明として特許文献１に開示された技術が知られているが、これはデファレンシャルギヤ機構のリングギヤで跳ね上げられたデフギヤオイルの流れに関する発明であり、本発明のようにセパレータ板に工夫を施したものとは技術的な前提が相違する。
【０００８】
以上の事情を考慮して創案された本発明の目的は、デファレンシャルギヤ機構の潤滑性を悪化させることなく、デフギヤオイルの貯留量を削減できるアクスルケース構造を提供することにある。
【課題を解決するための手段】
【０００９】
上述した目的を達成すべく創案された本発明によれば、デファレンシャルギヤ機構を収容すべく上下方向に膨出されたバンジョー部の内部に、車幅方向に間隔を隔ててデファレンシャルギヤ機構を内包するように一対のセパレータ板を設け、これらセパレータ板の間に貯留されたデフギヤオイルの液面をデファレンシャルギヤ機構の下端よりも上方とするようにしたアクスルケース構造であって、セパレータ板に、デフギヤオイルの液面を下げることなくオイル量を削減するため、デフギヤオイルの液面より下方のデフギヤオイルを押し退ける体積を有するオイル押退部材を設けた、ことを特徴とするアクスルケース構造が提供される。
【００１０】
本発明に係るアクスルケース構造においては、一対のセパレータ板が、デフギヤオイルを排出するためバンジョー部の下部に形成されたドレン孔を内包するように、バンジョー部の内部に車幅方向に間隔を隔てて配設されていてもよい。
【００１１】
本発明に係るアクスルケース構造においては、オイル押退部材が、セパレータ板の車幅方向内方の面に、デフギヤオイルをバンジョー部に注入するためのオイル注入孔より下方に位置して設けられていてもよい。
【００１２】
本発明に係るアクスルケース構造においては、オイル押退部材が、セパレータ板の車幅方向内方の面に、セパレータ板の縁部とバンジョー部の内面との間に形成された隙間を塞がないように取り付けられていてもよい。
【００１３】
本発明に係るアクスルケース構造においては、オイル押退部材が、中空構造または中実構造であってもよい。
【発明の効果】
【００１４】
本発明によれば、バンジョー部の内部に車幅方向に間隔を隔てて一対のセパレータ板を設け、これらセパレータ板の間に貯留されたデフギヤオイルの液面をデファレンシャルギヤ機構の下端よりも上方とするようにしたアクスルケース構造において、セパレータ板に、デフギヤオイルの液面より下方のデフギヤオイルを押し退ける体積を有するオイル押退部材を設けたので、デフギヤオイルの液面を下げることなく、即ちデファレンシャルギヤ機構の潤滑性を悪化させることなく、デフギヤオイルの貯留量を削減できる。
【図面の簡単な説明】
【００１５】
【図１】従来例を示すアクスルケース構造の説明図であり、（ａ）はアクスルケース構造の断面図、（ｂ）はセパレータ板の斜視図である。
【図２】本発明の一実施形態を示すアクスルケース構造の説明図であり、（ａ）はアクスルケース構造の断面図、（ｂ）はオイル押退部材が設けられたセパレータ板の斜視図である。
【図３】図２に示すアクスルケース構造の斜視図である。
【図４】（ａ）はオイル押退部材が設けられたセパレータ板の斜視図、（ｂ）はその分解斜視図である。
【発明を実施するための形態】
【００１６】
以下に添付図面を参照しながら、本発明の好適な実施形態について詳細に説明する。係る実施形態に示す寸法、材料、その他具体的な数値等は、発明の理解を容易にするための例示に過ぎず、特に断る場合を除き、本発明を限定するものではない。なお、本明細書および図面において、実質的に同一の機能、構成を有する要素については、同一の符号を付することにより重複説明を省略し、また本発明に直接関係のない要素は図示を省略する。
【００１７】
（アクスルケース構造１の概要）
図２（ａ）、図２（ｂ）に示すように、本発明の一実施形態に係るアクスルケース構造１は、デファレンシャルギヤ機構２を収容すべく上下方向に膨出されたバンジョー部３の内部に、車幅方向に間隔を隔ててデファレンシャルギヤ機構２を内包するように一対のセパレータ板４を設け、これらセパレータ板４の間に貯留されたデフギヤオイル５の液面をデファレンシャルギヤ機構２の下端よりも上方としたものにおいて、セパレータ板４に、デフギヤオイル５の液面を下げることなくオイル量を削減するため、デフギヤオイル５の液面より下方のデフギヤオイル５を押し退ける体積を有するオイル押退部材６を設けたものである。以下、各構成要素について説明する。
【００１８】
（バンジョー部３）
図３に示すように、アクスルケース７の車幅方向の中央には、内部にデファレンシャルギヤ機構２を収容するため、上下方向に膨出されたバンジョー部３が形成されている。バンジョー部３の車体前後方向の前部には、デファレンシャルギヤ機構２を出し入れするための開口８が形成され、バンジョー部３の車体前後方向の後部には、そこに形成された開口を覆うカバー９が取り付けられている。
【００１９】
なお、本実施形態に係るアクスルケース７は、下方が開放された溝型断面を有し車幅方向の中央に上方に膨出された上側膨出部を有する上側板７ａと、上方が開口された溝型断面を有し車幅方向の中央に下方に膨出された下側膨出部を有する下側板７ｂとを最中状に突き合わせて溶接することで構成された所謂板金製のアクスルケース７であるが、鋳造製のアクスルケース７であっても構わない。
【００２０】
（オイル注入孔１０）
図３に示すカバー９には、図２（ａ）に示すように、アクスルケース７内にデフギヤオイル５を注入するためのオイル注入孔１０が形成されている。新車出荷時または車検時に、アクスルケース７にはオイル注入孔１０からデフギヤオイル５が注入され、デフギヤオイル５がオイル注入孔１０から溢れるまで注入される。すなわち、オイル注入孔１０は、アクスルケース７内のデフギヤオイル５の液面の高さを定めるゲージとしても機能する。なお、オイル注入孔１０には、通常、プラグボルト１１がネジ込まれており、オイル注入時に取り外される。
【００２１】
（ドレン孔１２）
図２（ａ）、図３に示すように、バンジョー部３の下部には、オイル交換時に、アクスルケース７内のデフギヤオイル５を排出するためのドレン孔１２が形成されている。ドレン孔１２は、車両の最低地上高を確保すると共に不整路走行時の岩や障害物との接触などによる損傷を回避するため、バンジョー部３の下部の中央部ではなく、バンジョー部３の下部の傾斜立上部１３に設けられている。すなわち、ドレン孔１２には、オイル交換時に取り外されるドレンボルト１４がネジ込まれるところ、そのドレンボルト１４の頭部がアクスルケース７（バンジョー部３）の最下点とならないように、ドレン孔１２の位置がバンジョー部３の下部の傾斜立上部１３に設定されている。ドレンボルト１４の頭部の下端は、バンジョー部３の下部の最下点と同等或いはそれより高い位置となっている。
【００２２】
（セパレータ板４）
図２（ａ）に示すように、アクスルケース７のバンジョー部の内部には、車幅方向に間隔を隔てて、デファレンシャルギヤ機構２を内包するように、一対のセパレータ板４が設けられている。これらセパレータ板４の間に貯留されたデフギヤオイル５の液面は、デファレンシャルギヤ機構２の下端よりも上方となっている。セパレータ板４は、それらの間に貯留されたデフギヤオイル５がカーブ走行時に遠心力によって車幅方向外方に移動することを抑え、デファレンシャルギヤ機構２の良好な潤滑を保持する機能を発揮する。
【００２３】
図２（ｂ）に示すように、セパレータ板４には、アクスルシャフト１５が回転自在に挿通される孔１６が形成されている。このため、バンジョー部３に貯留されたデフギヤオイル５は、カーブ走行時に遠心力によってセパレータ板４の孔１６とアクスルシャフト１５との隙間を通ってセパレータ板４よりも車幅方向外方に移動する。このデフギヤオイル５をその後のストレート走行時に重力によってセパレータ板４よりも車幅方向内方に戻すため、セパレータ板４とバンジョー部３の内面との間には、僅かな隙間（０．５〜０．８ｍｍ程度）が形成されており、その隙間をデフギヤオイル５が流れるようになっている。
【００２４】
詳しくは、セパレータ板４は、アクスルケース７（バンジョー部３）の内部を車幅方向に仕切る形状に形成されており、図３に示すように、バンジョー部３の上下方向の中程の領域において、バンジョー部３の内面に間隔を隔てて溶接（隅肉溶接、点溶接）によって固定されている。１７は溶接部である。セパレータ板４の縁部とバンジョー部３の内面との間には、溶接によって固定された部分（溶接部１７）を除き、僅かな隙間（０．５〜０．８ｍｍ）が形成されており、その隙間をデフギヤオイル５が流れるようになっている。なお、セパレータ板４は、バンジョー部３内の下部を仕切る形状であればよく、アクスルシャフト１５よりも上方の部分４ａ（図２参照）が省略された形状であっても構わない。
【００２５】
図２（ａ）に示すように、セパレータ板４は、デフギヤオイル５を排出するためバンジョー部３の下部に形成されたドレン孔１２を内包するように、バンジョー部３の内部に車幅方向に間隔を隔てて配設されている。これにより、デフギヤオイル５を交換する際、セパレート板４がドレン孔１２から排出されるデフギヤオイル５の流れの抵抗になることはなく、デフギヤオイル５をドレン孔１２から速やかに排出できる。
【００２６】
（オイル押退部材６）
図２（ａ）、図２（ｂ）に示すように、セパレータ板４には、バンジョー部３に貯留されるデフギヤオイル５の液面を下げることなくオイル量を削減するため、バンジョー部３におけるデフギヤオイル５の液面より下方のデフギヤオイル５を押し退ける体積を有するオイル押退部材６が設けられている。かかるオイル押退部材６により、デフギヤオイル５の液面を下げることなく、即ちデファレンシャルギヤ機構２の潤滑性を悪化させることなく、デフギヤオイル５の貯留量を削減できる。
【００２７】
図４（ａ）、図４（ｂ）に示すように、オイル押退部材６は、側板６ａおよび底板６ｂを構成する断面コ字状の板体からなる第１部材６ｘと、蓋板６ｃを構成する第２部材６ｙとから構成され、第１部材６ｘがセパレータ板４に液密に溶接され、第２部材６ｙが第１部材６ｘおよびセパレータ板４に液密に溶接されることによって、中空構造（空気室構造）となっている。これにより、オイル５を押し退けるための適切な体積を確保すると共に、重量増加を抑制している。
【００２８】
図２（ａ）に示すように、オイル押退部材６は、セパレータ板４の車幅方向内方の面に、デフギヤオイル５をバンジョー部３に注入するためのオイル注入孔１０（オイル注入時にオイル液面を規定する）より下方に位置して設けられている。これにより、バンジョー部３の内部に貯留されたデフギヤオイル５をオイル押退部材６によって確実に押し退けることができる。換言すれば、オイル注入孔１１より上方にはオイル５が貯留されないため、そこにオイル押退部材６を配設しても意味は無い。
【００２９】
図２（ａ）に示すオイル押退部材６は、セパレータ板４の車幅方向内方の面に、図３に示すように、セパレータ板４の縁部とバンジョー部３の内面との間に形成された隙間を塞がないように、セパレータ板４の車体前後方向の中央に取り付けられている。これにより、カーブ走行時に図２（ａ）に示すセパレータ板の孔１６とドライブシャフト１５との隙間を通ってセパレータ板４の車幅方向外方に移動したデフギヤオイル５は、その後のストレート走行時に、オイル押退部材６が邪魔になることなく、重力によってセパレータ板４の縁部とバンジョー部３の内面との隙間を通ってセパレータ板４の車幅方向内方に戻る。
【００３０】
（作用・効果）
図２（ａ）に示すように、本実施形態に係るアクスルケース構造１によれば、バンジョー部３の内部に車幅方向に間隔を隔てて一対のセパレータ板４を設け、これらセパレータ板４の間に貯留されたデフギヤオイル５の液面をデファレンシャルギヤ機構２の下端よりも上方とするようにしたアクスルケース構造１において、セパレータ板４に、デフギヤオイル５の液面より下方のデフギヤオイル５を押し退ける体積を有するオイル押退部材６を設けたので、デフギヤオイル５の液面を下げることなく、即ちデファレンシャルギヤ機構２の潤滑性を悪化させることなく、デフギヤオイル５の貯留量を削減できる。
【００３１】
デフギヤオイル５は単価が高いため、デフギヤオイル５の貯留量を削減することで、油脂類を含めたアクスルケース構造１全体（アクスルユニット）のコストを削減できる。また、車検時にデフギヤオイル５を交換する度にオイル量を削減でき、ランニングコストを低減できる。また、セパレータ板４にオイル押退部材６を付設しているため、既存のセパレータ板４の形状を変更する必要はなく、セパレータ板４の設計変更に伴うコストアップは生じない。
【００３２】
図２（ａ）に示すように、一対のセパレータ板４がデフギヤオイル５のドレン孔１２を内包するように車幅方向に間隔を隔てて配設されているので、デフギヤオイル５を交換する際、セパレート板４がドレン孔１２から排出されるデフギヤオイル５の流れの抵抗になることはなく、デフギヤオイル５をドレン孔１２から速やかに排出できる。
【００３３】
図２（ａ）に示すように、オイル押退部材６がオイル注入孔１０（オイル注入時にオイル液面を規定する）より下方に位置して設けられているので、バンジョー部３の内部に貯留されたデフギヤオイル５をオイル押退部材６によって確実に押し退けることができる。
【００３４】
図２（ａ）に示すように、オイル押退部材６は、形状が下広がりとなっているので、デファレンシャルギヤ機構２との干渉を避けつつ、バンジョー部３の底部に貯留されたデフギヤオイル５を効率よく押し退けることができる。
【００３５】
図４（ａ）、図４（ｂ）に示すように、オイル押退部材６が中空構造（空気室構造）となっているので、アクスルケース構造１全体（アクスルユニット）の重量増加を抑制できる。なお、オイル押退部材６を中実構造としてもよい。この場合、重量は増加するものの、オイル押退部材６の内部にデフギヤオイル５が浸入しないので信頼性・耐久性が高まり、デフギヤオイル５を確実に押し退けることができる。
【００３６】
図３に示すように、オイル押退部材６がセパレータ板４の縁部とバンジョー部３の内面との隙間（０．５〜０．８ｍｍ程度）を塞がないように、セパレータ板４の車体前後方向の中央に取り付けられている。これにより、カーブ走行時に、図２（ａ）に示すセパレータ板の孔１６とドライブシャフト１５との隙間を通ってセパレータ板４の車幅方向外方に移動したデフギヤオイル５を、その後のストレート走行時に、オイル押退部材６が邪魔になることなく、重力によってセパレータ板４の縁部とバンジョー部３の内面との隙間を通ってセパレータ板４の車幅方向内方に適切に戻すことができる。
【００３７】
図３に示すように、セパレータ板４が、バンジョー部３の上下方向の中程の領域において、バンジョー部３の内面に溶接（１７は溶接部）されている。これにより、車両重量がアクスルケース７に加わりタイヤからの反力を受けて下に凸状に曲げられるアクスルケース７の中立軸近傍においてセパレータ板４がアクスルケース４に溶接されることになるため、溶接部１７に加わる応力が小さくなり、セパレータ板４とバンジョー部３との溶接部１７を起点とした損傷を抑制できる。
【００３８】
以上、添付図面を参照しつつ本発明の好適な実施形態について説明したが、本発明は上述した実施形態に限定されないことは勿論であり、特許請求の範囲に記載された範疇における各種の変更例または修正例についても、本発明の技術的範囲に属することは言うまでもない。
【産業上の利用可能性】
【００３９】
本発明は、デファレンシャル機構の潤滑性を悪化させることなくデフギヤオイルの貯留量を削減できるアクスルケース構造に利用できる。
【符号の説明】
【００４０】
１  アクスルケース構造
２  デファレンシャルギヤ機構
３  バンジョー部
４  セパレータ板
５  デフギヤオイル
６  オイル押退部材
１０  オイル注入孔
１２  ドレン孔
【図１】
2019183922.tif 000003
【図２】
2019183922.tif 000004
【図３】
2019183922.tif 000005
【図４】
2019183922.tif 000006